【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
中継伝送のための無線通信方法であって、
基地局（ＢＳ）、第１の無線送信／受信ユニット（ＷＴＲＵ）、および第２のＷＴＲＵから受信された信号を復号するステップと、
複数の中間ビットシーケンス（ＩＢＳ）を生成するステップであって、前記複数のＩＢＳが、前記第１のＷＴＲＵおよび前記第２のＷＴＲＵから受信された前記信号からのビットの合成に基づいて生成され、前記複数のＩＢＳが、前記受信された信号内の複数の復号されたビットを、複数の所定のビットと置き換えることによって生成される、ステップと、
前記複数のＩＢＳのそれぞれのビットを複数のシンボル内に配置するステップであって、前記複数のシンボルのそれぞれが、前記複数のＩＢＳのそれぞれからの１ビットを含む、ステップと、
前記複数のシンボルをブロードキャストするステップと
を備えることを特徴とする方法。
【請求項２】
Ｎタイムスロットにおいて、Ｎ番目のＷＴＲＵからＮ番目の信号を受信するステップであって、Ｎが２より大きい、ステップと、
前記複数のシンボルをＮ＋１タイムスロットでブロードキャストするステップと
をさらに備えることを特徴とする請求項１に記載の方法。
【請求項３】
任意のタイムスロットにおいて前記受信された信号の推定を可能にするために検出を実施するステップをさらに備えることを特徴とする請求項１に記載の方法。
【請求項４】
実施される前記推定は、最尤（ＭＬ）推定または逐次干渉除去（ＳＩＣ）推定であることを特徴とする請求項３に記載の方法。
【請求項５】
物理（ＰＨＹ）レイヤネットワーク符号化を前記受信された信号に適用するステップであって、前記ＰＨＹレイヤネットワーク符号化は、排他的論理和（ＸＯＲ）ネットワーク符号化である、ステップをさらに備えることを特徴とする請求項１に記載の方法。
【請求項６】
各タイムスロットにおける少なくとも１つのパケットが成功裏に受信されるという条件で、階層変調（ＨＭ）を前記復号された信号に適用するステップをさらに備えることを特徴とする請求項１に記載の方法。
【請求項７】
前記受信された信号は、チャネル条件を示すインジケータを含むことを特徴とする請求項１に記載の方法。
【請求項８】
前記インジケータは、チャネル品質インジケータ（ＣＱＩ）であり、瞬間ＳＩＮＲを示すことを特徴とする請求項７に記載の方法。
【請求項９】
前記複数のＩＢＳが共にグループ化されて、グループ化されたＩＢＳ（ＩＢＳＲ）を作成し、前記ＩＢＳＲは、複数の中継ノード（ＲＮ）とＷＴＲＵのチャネルの信号対干渉雑音比（ＳＩＮＲ）を、ＳＩＮＲ［１］＜ＳＩＮＲ［２］＜．．．＜ＳＩＮＲ［Ｎ］のように、昇順で順序付けることによってグループ化されることを特徴とする請求項１に記載の方法。
【請求項１０】
任意の受信された信号が正しく復号されないという条件で、前記複数の所定のビットは、前記ＢＳ、前記第１のＷＴＲＵ、および前記第２のＷＴＲＵにとって既知であることを特徴とする請求項１に記載の方法。
【請求項１１】
前記受信された信号を復号する際の成功または失敗に基づいて、確認応答（ＡＣＫ）または否定確認応答（ＮＡＣＫ）を送信するステップをさらに備えることを特徴とする請求項１に記載の方法。
【請求項１２】
前記ＢＳから確認応答（ＡＣＫ）または否定確認応答（ＮＡＣＫ）を受信するステップであって、前記ＡＣＫまたは前記ＮＡＣＫは、前記ＩＢＳが前記ＢＳで正しく受信されたかどうか示す、ステップをさらに備えることを特徴とする請求項１に記載の方法。
【請求項１３】
前記基地局（ＢＳ）、前記第１のＷＴＲＵ、および前記第２のＷＴＲＵから受信された前記確認応答（ＡＣＫ）または前記否定確認応答（ＮＡＣＫ）に基づいて、宛先確認応答（ＡＣＫ）または否定確認応答（ＮＡＣＫ）を送信するステップをさらに備えることを特徴とする請求項１２に記載の方法。
【請求項１４】
ＡＣＫの任意の失敗した復号はＮＡＣＫとみなされることを特徴とする請求項１３に記載の方法。
【請求項１５】
ＮＡＣＫが受信されること、またはＡＣＫを受信するのに失敗することを条件に、前記ＢＳ、前記第１のＷＴＲＵ、または前記第２のＷＴＲＵから、再送信された信号を受信するステップと、
前記ＩＢＳを再送信するステップと
をさらに備えることを特徴とする請求項１０に記載の方法。
【請求項１６】
中継ノード（ＲＮ）であって、
基地局（ＢＳ）、第１の無線送信／受信ユニット（ＷＴＲＵ）、第２のＷＴＲＵから受信された信号を復号し、
前記第１のＷＴＲＵおよび前記第２のＷＴＲＵから受信された前記信号からのビットの合成に基づいて複数の中間ビットシーケンス（ＩＢＳ）を生成し、前記複数のＩＢＳが、前記受信された信号内の複数の復号されたビットを、複数の所定のビットと置き換えることによって生成され、
前記複数のＩＢＳのそれぞれのビットを複数のシンボル内に配置し、前記複数のシンボルのそれぞれが、前記複数のＩＢＳのそれぞれからの１ビットを含むように構成されたプロセッサと、
前記複数のシンボルをブロードキャストするように構成された送信機と
を備えたことを特徴とする中継ノード（ＲＮ）。
【請求項１７】
Ｎタイムスロットにおいて、Ｎ番目のＷＴＲＵからＮ番目の信号を受信するように構成された受信機であって、Ｎが２より大きい、受信機をさらに備え、
前記送信機は、前記複数のシンボルをＮ＋１タイムスロットでブロードキャストするようにさらに構成されたこと
を特徴とする請求項１６に記載のＲＮ。
【請求項１８】
前記プロセッサは、任意のタイムスロットにおいて前記受信された信号の推定を可能にするために検出を実施するようにさらに構成されたことを特徴とする請求項１６に記載のＲＮ。
【請求項１９】
実施される前記推定は、最尤（ＭＬ）推定または逐次干渉除去（ＳＩＣ）推定であることを特徴とする請求項１８に記載のＲＮ。
【請求項２０】
前記プロセッサは、物理（ＰＨＹ）レイヤネットワーク符号化を前記受信された信号に適用するようにさらに構成され、前記ＰＨＹレイヤネットワーク符号化は、排他的論理和（ＸＯＲ）ネットワーク符号化であることを特徴とする請求項１６に記載のＲＮ。
【請求項２１】
前記プロセッサは、各タイムスロットにおける少なくとも１つのパケットが成功裏に受信されるという条件で、階層変調（ＨＭ）を前記復号された信号に適用するようにさらに構成されたことを特徴とする請求項１６に記載のＲＮ。
【請求項２２】
前記受信された信号は、チャネル条件を示すインジケータを含むことを特徴とする請求項１６に記載のＲＮ。
【請求項２３】
前記インジケータは、チャネル品質インジケータ（ＣＱＩ）であり、瞬間ＳＩＮＲを示すことを特徴とする請求項２２に記載のＲＮ。
【請求項２４】
前記複数のＩＢＳを共にグループ化して、グループ化されたＩＢＳ（ＩＢＳＲ）を作成し、前記ＩＢＳＲは、複数の中継ノード（ＲＮ）とＷＴＲＵのチャネルの信号対干渉雑音比（ＳＩＮＲ）を、ＳＩＮＲ［１］＜ＳＩＮＲ［２］＜．．．＜ＳＩＮＲ［Ｎ］のように、昇順で順序付けることによってグループ化されることを特徴とする請求項１６に記載のＲＮ。
【請求項２５】
任意の受信された信号が正しく復号されないという条件で、前記複数の所定のビットは、前記ＢＳ、前記第１のＷＴＲＵ、および前記第２のＷＴＲＵにとって既知であることを特徴とする請求項１６に記載のＲＮ。
【請求項２６】
前記送信機は、前記受信された信号を復号する際の成功または失敗に基づいて、確認応答（ＡＣＫ）または否定確認応答（ＮＡＣＫ）を送信するようにさらに構成されたことを特徴とする請求項１６に記載のＲＮ。
【請求項２７】
前記ＢＳから確認応答（ＡＣＫ）または否定確認応答（ＮＡＣＫ）を受信するように構成された受信機であって、前記ＡＣＫまたは前記ＮＡＣＫは、前記ＩＢＳが前記ＢＳで正しく受信されたかどうか示す、受信機をさらに備えたことを特徴とする請求項１６に記載のＲＮ。
【請求項２８】
前記送信機は、前記基地局（ＢＳ）、前記第１のＷＴＲＵ、および前記第２のＷＴＲＵから受信された前記確認応答（ＡＣＫ）または前記否定確認応答（ＮＡＣＫ）に基づいて、宛先確認応答（ＡＣＫ）または否定確認応答（ＮＡＣＫ）を送信するようにさらに構成されたことを特徴とする請求項２７に記載のＲＮ。
【請求項２９】
前記プロセッサは、ＡＣＫの任意の失敗した復号はＮＡＣＫとみなすように構成されたことを特徴とする請求項２８に記載のＲＮ。
【請求項３０】
前記受信機は、ＮＡＣＫが受信されること、またはＡＣＫを受信するのに失敗することを条件に、前記ＢＳ、前記第１のＷＴＲＵ、または前記第２のＷＴＲＵから、再送信された信号を受信するようにさらに構成され、
前記送信機は、前記ＩＢＳを再送信するようにさらに構成されたこと
を特徴とする請求項２９に記載のＲＮ。